(57)【要約】【課題】円形状等の開口を有する前面装飾枠に、該開口の形状と異なる形状の透明板を装着しても、遊技者に遊技盤の遊技領域以外の部分を視認されないようにすることができる弾球遊技機を提供する。【解決手段】円形状にレール２２，２３を配設して遊技領域２４を形成した遊技盤５と、前記遊技盤５の遊技領域２４を視認でき円形状の開口３０を有する前面装飾枠６と、前記前面装飾枠６の裏側に設けられた透明板取付部材３５と、前記透明板取付部材３５に装着される前後２枚の透明板４０，４０とを備えた弾球遊技機において、前記２枚の透明板４０，４０間に、該透明板４０，４０間の内法と略一致する幅厚を有すると共に、前記遊技盤５に配設された前記レール２２，２３の円周の形状に沿う隠蔽部６１を有する介在部材５３を配設したことを特徴とする。【選択図】　図６
2004081604.tif 000002
【特許請求の範囲】
【請求項１】
円形状にレールを配設して遊技領域を形成した遊技盤と、前記遊技盤の遊技領域を視認でき少なくとも一部が円弧状をなす開口を有する前面装飾枠と、前記前面装飾枠の裏側に直接又は間接的に設けられた透明板取付部材と、前記透明板取付部材に装着される前後２枚の透明板とを備えた弾球遊技機において、
前記２枚の透明板間に、該透明板間の内法と略一致する幅厚を有すると共に前記遊技盤に配設された前記レールの円周形状の少なくとも一部に沿う隠蔽部を有する介在部材を配設したことを特徴とする弾球遊技機。
【請求項２】
円形状にレールを配設して遊技領域を形成した遊技盤と、前記遊技盤の遊技領域を視認でき少なくとも一部が円弧状をなす開口を有する前面装飾枠と、前記前面装飾枠の裏側に直接又は間接的に設けられた透明板取付部材と、前記透明板取付部材に装着される前後２枚の透明板とを備えた弾球遊技機において、
前記２枚の透明板は枠状に形成された透明板枠体内に挿入されて前記透明板取付部材に装着されるようにし、
前記透明板枠体の内側であって前記２枚の透明板間に、該透明板間の内法と略一致する幅厚を有すると共に前記遊技盤に配設された前記レールの円周形状の少なくとも一部に沿う隠蔽部を有する介在部材を配設したことを特徴とする弾球遊技機。
【請求項３】
円形状にレールを配設して遊技領域を形成した遊技盤と、前記遊技盤の遊技領域を視認できる多辺形状の開口を有する前面装飾枠と、前記前面装飾枠の裏側に直接又は間接的に設けられた透明板取付部材と、前記透明板取付部材に装着される前後２枚の透明板とを備えた弾球遊技機において、
前記２枚の透明板間に、該透明板間の内法と略一致する幅厚を有すると共に前記遊技盤に配設された前記レールの円周形状の少なくとも一部に沿う隠蔽部を有する介在部材を配設したことを特徴とする弾球遊技機。
【請求項４】
円形状にレールを配設して遊技領域を形成した遊技盤と、前記遊技盤の遊技領域を視認できる多辺形状の開口を有する前面装飾枠と、前記前面装飾枠の裏側に直接又は間接的に設けられた透明板取付部材と、前記透明板取付部材に装着される前後２枚の透明板とを備えた弾球遊技機において、
前記２枚の透明板は枠状に形成された透明板枠体内に挿入されて前記透明板取付部材に装着されるようにし、
前記透明板枠体の内側であって前記２枚の透明板間に、該透明板間の内法と略一致する幅厚を有すると共に前記遊技盤に配設された前記レールの円周形状の少なくとも一部に沿う隠蔽部を有する介在部材を配設したことを特徴とする弾球遊技機。
【請求項５】
円形状にレールを配設して遊技領域を形成した遊技盤と、前記遊技盤の遊技領域を視認でき少なくとも一部が円弧状をなす開口を有する前面装飾枠と、前記前面装飾枠の裏側に直接又は間接的に設けられた透明板取付部材と、前記透明板取付部材に装着される前後２枚の透明板とを備えた弾球遊技機において、
前記２枚の透明板間に、該透明板間の内法と略一致する幅厚を有すると共に前記前面装飾枠の開口内周形状の少なくとも一部に沿う隠蔽部を有する介在部材を配設したことを特徴とする弾球遊技機。
【請求項６】
円形状にレールを配設して遊技領域を形成した遊技盤と、前記遊技盤の遊技領域を視認でき少なくとも一部が円弧状をなす開口を有する前面装飾枠と、前記前面装飾枠の裏側に直接又は間接的に設けられた透明板取付部材と、前記透明板取付部材に装着される前後２枚の透明板とを備えた弾球遊技機において、
前記２枚の透明板は枠状に形成された透明板枠体内に挿入されて前記透明板取付部材に装着されるようにし、
前記透明板枠体の内側であって前記２枚の透明板間に、該透明板間の内法と略一致する幅厚を有すると共に前記前面装飾枠の開口内周形状の少なくとも一部に沿う隠蔽部を有する介在部材を配設したことを特徴とする弾球遊技機。
【請求項７】
円形状にレールを配設して遊技領域を形成した遊技盤と、前記遊技盤の遊技領域を視認できる多辺形状の開口を有する前面装飾枠と、前記前面装飾枠の裏側に直接又は間接的に設けられた透明板取付部材と、前記透明板取付部材に装着される前後２枚の透明板とを備えた弾球遊技機において、
前記２枚の透明板間に、該透明板間の内法と略一致する幅厚を有すると共に前記前面装飾枠の開口内周部形状の少なくとも一部に沿う隠蔽部を有する介在部材を配設したことを特徴とする弾球遊技機。
【請求項８】
円形状にレールを配設して遊技領域を形成した遊技盤と、前記遊技盤の遊技領域を視認できる多辺形状の開口を有する前面装飾枠と、前記前面装飾枠の裏側に直接又は間接的に設けられた透明板取付部材と、前記透明板取付部材に装着される前後２枚の透明板とを備えた弾球遊技機において、
前記２枚の透明板は枠状に形成された透明板枠体内に挿入されて前記透明板取付部材に装着されるようにし、
前記透明板枠体の内側であって前記２枚の透明板間に、該透明板間の内法と略一致する幅厚を有すると共に前記前面装飾枠の開口内周形状の少なくとも一部に沿う隠蔽部を有する介在部材を配設したことを特徴とする弾球遊技機。
【請求項９】
前記介在部材が前記透明板枠体に一体的に形成されていることを特徴とする請求項２、請求項４、請求項６又は請求項８記載の弾球遊技機。
【請求項１０】
前記介在部材が前記透明板枠体に着脱自在に取り付けられていることを特徴とする請求項２、請求項４、請求項６又は請求項８記載の弾球遊技機。
【発明の詳細な説明】
【０００１】
【発明の属する技術分野】
本発明は、弾球遊技機に係り、さらに詳しくは、弾球遊技機に設けられた前後２枚の透明板の間に隠蔽部を有する介在部材を配設し、弾球遊技機の遊技領域以外の部分が遊技者から視認されないようにした弾球遊技機に関するものである。
【０００２】
【従来の技術】
従来のパチンコ遊技機等の弾球遊技機は、円形状にレールを配設して遊技領域を形成した遊技盤の前面に、矩形状の開口が設けられた透明板保持枠を設け、この透明板保持枠の裏側に該透明板保持枠の開口に対応させて矩形状の透明板（例えば、ガラス板）が一定間隔をもって前後に２枚装着されているのが一般的である。
【０００３】
一方、最近では、遊技者に視覚的なインパクトを与えるべく弾球遊技機の前面側の装飾化が急速に進んでおり、透明板保持枠の開口の内周縁部、すなわち該開口のうち、遊技盤の遊技領域に沿う部分を円弧状にして、開口の全体を円形状にしたり、開口の上方部分を円弧状にして透明板保持枠の前面の装飾面積を拡大させると共に、当該部分を合成樹脂でデザイン化したもの（以下、これを「前面装飾枠」という）が装着された弾球遊技機も存在するようになった。
【０００４】
【発明が解決しようとする課題】
ところで、上記したような開口を円形状等にした前面装飾枠は、弾球遊技機の装飾性を高めるという点では優れているものの、反面、次のような解決すべき課題を有している。すなわち、円形状等の開口を有する前面装飾枠に従来から一般に使用されている矩形状の透明板をそのまま装着すると、図７に示すように２枚の透明板の間から、何ら装飾もされていない遊技盤の遊技領域外の部分Ｓが遊技者に視認されてしまい、きわめて見栄えを悪くしてしまうことになる。（図７の遊技領域以外の部分Ｓに若干見えているのは、弾球遊技機が検査に合格したことを示す証紙である。）そのため、現存する円形状等の開口を有する前面装飾枠は、上記の問題を防ぐため、透明板自体を開口と同様の円形状等にカットし、この円形状等の透明板を枠体で囲って前面装飾枠の裏面に装着している。
【０００５】
しかし、透明板自体を開口の形状に合わせて円形状等にカットしなければならないとすれば、矩形状のものと比較してカットに要する費用が余分に掛かってしまう。また、例えば、開口を円形状に形成したもの、開口の上方のみを円弧状に形成したもの、あるいは開口を矩形状に形成したものというように、異なる形状の開口を有する弾球遊技機毎に透明板の形状も変えなければならないことになるから、この面においても余分なコストと手間を要することになってしまう。
【０００６】
本発明は、上記のような問題点に鑑みてなされたもので、その目的とするところは、２枚の透明板間に隠蔽部を有する介在部材を設けることで、前面装飾枠の開口を円形状等にした弾球遊技機に、該開口の形状と異なる形状の透明板を装着しても、遊技者に遊技盤の遊技領域以外の部分を視認されないようにすることを可能とした弾球遊技機を提供しようとするものである。
【０００７】
【課題を解決するための手段】
上記目的を達成するために請求項１に係る発明は、円形状にレールを配設して遊技領域を形成した遊技盤と、前記遊技盤の遊技領域を視認でき少なくとも一部が円弧状をなす開口を有する前面装飾枠と、前記前面装飾枠の裏側に直接又は間接的に設けられた透明板取付部材と、前記透明板取付部材に装着される前後２枚の透明板とを備えた弾球遊技機において、前記２枚の透明板間に、該透明板間の内法と略一致する幅厚を有すると共に、前記遊技盤に配設された前記レールの円周形状の少なくとも一部に沿う隠蔽部を有する介在部材を配設したことを特徴としている。
【０００８】
なお、現在、最もパチンコ遊技機等の弾球遊技機に使用されている「透明板」として、ガラス板が一般的であるが、遊技盤を透視するという同様の目的を達し得るものであれば、合成樹脂等、種々のもので代替することが考えられる。また、請求項１の「一部が円弧状をなす開口」とは、円形状の開口、上方のみを円弧状とした開口、あるいは、側方のみを円弧状とした開口等、円弧状部を有する種々の開口を意味するものである。さらに、請求項１において、「前面装飾枠の裏側に直接又は間接的に設けられた透明板取付部材」としたのは、透明板取付部材は、前面装飾枠の裏面に直接的に設けられる場合のほか、例えば、透明板取付部材を内枠体の一側にヒンジ等を利用して可動自在に装着されているといった前面装飾枠に間接的に設けられていると考えられる場合があることを考慮したものである。また、「内法」とは、透明板自体の幅を加えないで２枚の透明板の間を測った寸法を意味する。これらの点は、他の請求項においても同様である。
【０００９】
請求項２に係る発明は、円形状にレールを配設して遊技領域を形成した遊技盤と、前記遊技盤の遊技領域を視認でき少なくとも一部が円弧状をなす開口を有する前面装飾枠と、前記前面装飾枠の裏側に直接又は間接的に設けられた透明板取付部材と、前記透明板取付部材に装着される前後２枚の透明板とを備えた弾球遊技機において、前記２枚の透明板は枠状に形成された透明板枠体内に挿入されて前記透明板取付部材に装着されるようにし、前記透明板枠体の内側であって前記２枚の透明板間に、該透明板間の内法と略一致する幅厚を有すると共に、前記遊技盤に配設された前記レールの円周形状の少なくとも一部に沿う隠蔽部を有する介在部材を配設したことを特徴としている。このように、２枚の透明板を枠状に形成された透明板枠体内に挿入した状態で透明板取付部材に装着するようにすると、透明板の脱着作業を容易化することができる。
【００１０】
請求項３に係る発明は、円形状にレールを配設して遊技領域を形成した遊技盤と、前記遊技盤の遊技領域を視認できる多辺形状の開口を有する前面装飾枠と、前記前面装飾枠の裏側に直接又は間接的に設けられた透明板取付部材と、前記透明板取付部材に装着される前後２枚の透明板とを備えた弾球遊技機において、前記２枚の透明板間に、該透明板間の内法と略一致する幅厚を有すると共に、前記遊技盤に配設された前記レールの円周形状の少なくとも一部に沿う隠蔽部を有する介在部材を配設したことを特徴としている。
【００１１】
請求項４に係る発明は、円形状にレールを配設して遊技領域を形成した遊技盤と、前記遊技盤の遊技領域を視認できる多辺形状の開口を有する前面装飾枠と、前記前面装飾枠の裏側に直接又は間接的に設けられた透明板取付部材と、前記透明板取付部材に装着される前後２枚の透明板とを備えた弾球遊技機において、前記２枚の透明板は枠状に形成された透明板枠体内に挿入されて前記透明板取付部材に装着されるようにし、前記透明板枠体の内側であって前記２枚の透明板間に、該透明板間の内法と略一致する幅厚を有すると共に、前記遊技盤に配設された前記レールの円周形状の少なくとも一部に沿う隠蔽部を有する介在部材を配設したことを特徴としている。
【００１２】
請求項５に係る発明は、円形状にレールを配設して遊技領域を形成した遊技盤と、前記遊技盤の遊技領域を視認でき少なくとも一部が円弧状をなす開口を有する前面装飾枠と、前記前面装飾枠の裏側に直接又は間接的に設けられた透明板取付部材と、前記透明板取付部材に装着される前後２枚の透明板とを備えた弾球遊技機において、前記２枚の透明板間に、該透明板間の内法と略一致する幅厚を有すると共に前記前面装飾枠の開口内周形状の少なくとも一部に沿う隠蔽部を有する介在部材を配設したことを特徴としている。
【００１３】
請求項６に係る発明は、円形状にレールを配設して遊技領域を形成した遊技盤と、前記遊技盤の遊技領域を視認でき少なくとも一部が円弧状をなす開口を有する前面装飾枠と、前記前面装飾枠の裏側に直接又は間接的に設けられた透明板取付部材と、前記透明板取付部材に装着される前後２枚の透明板とを備えた弾球遊技機において、前記２枚の透明板は枠状に形成された透明板枠体内に挿入されて前記透明板取付部材に装着されるようにし、前記透明板枠体の内側であって前記２枚の透明板間に、該透明板間の内法と略一致する幅厚を有すると共に前記前面装飾枠の開口内周形状の少なくとも一部に沿う隠蔽部を有する介在部材を配設したことを特徴としている。
【００１４】
請求項７に係る発明は、円形状にレールを配設して遊技領域を形成した遊技盤と、前記遊技盤の遊技領域を視認できる多辺形状の開口を有する前面装飾枠と、前記前面装飾枠の裏側に直接又は間接的に設けられた透明板取付部材と、前記透明板取付部材に装着される前後２枚の透明板とを備えた弾球遊技機において、前記２枚の透明板間に、該透明板間の内法と略一致する幅厚を有すると共に前記前面装飾枠の開口内周部形状の少なくとも一部に沿う隠蔽部を有する介在部材を配設したことを特徴としている。
【００１５】
請求項８に係る発明は、円形状にレールを配設して遊技領域を形成した遊技盤と、前記遊技盤の遊技領域を視認できる多辺形状の開口を有する前面装飾枠と、前記前面装飾枠の裏側に直接又は間接的に設けられた透明板取付部材と、前記透明板取付部材に装着される前後２枚の透明板とを備えた弾球遊技機において、前記２枚の透明板は枠状に形成された透明板枠体内に挿入されて前記透明板取付部材に装着されるようにし、前記透明板枠体の内側であって前記２枚の透明板間に、該透明板間の内法と略一致する幅厚を有すると共に前記前面装飾枠の開口内周形状の少なくとも一部に沿う隠蔽部を有する介在部材を配設したことを特徴としている。
【００１６】
さらに、請求項２、請求項４、請求項６又は請求項８記載の介在部材は、透明板枠体に一体的に成形しても、透明板枠体に着脱自在に取り付けてもよい。
【００１７】
【発明の実施の形態】
次に、本発明に係る弾球遊技機の実施の形態を図面を参照しながら説明する。なお、弾球遊技機には、パチンコ遊技機、雀球遊技機等の遊技機があるが、以下、その一例としてパチンコ遊技機について説明する。図１はパチンコ遊技機の正面図、図２は前面装飾枠を開いた状態のパチンコ遊技機の斜視図、図３は前面装飾枠と前面板と前面下部板を取り外した状態の分解斜視図である。パチンコ遊技機１は、縦長方形状に枠組みされる木製の外枠２と、該外枠２の一側にヒンジ機構３によって開閉自在に装着される内枠体４と、該内枠体４の後面に取付保持される遊技盤５とを備え、該内枠体４の前面一側に前面装飾枠６と、打球供給皿７を有する前面板８及び余剰球受皿９を有する前面下部板１０とを開閉自在に軸着して構成されている。
【００１８】
前記内枠体４は、図３に示すように、鉄板等の金属板によって成形されたもので、その上部には遊技盤５が臨む開口窓１１が開設され、該開口窓１１の上部及び下部は板状となっている。そして、前記開口窓１１の上方の板状部には、横長に成形された状態表示基板１２が取り付けられている。この状態表示基板１２にはその前面に、前記前面装飾枠６を開放したとき、これをホールコンピュータ（図示せず）へ電気的に出力する扉開放スイッチ１３およびエラー状態が生じたとき、これをホールの係員に知らせる状態表示ランプ１４が設けられている。また、前記開口窓１１の下方の板状部分には、パチンコ球を遊技盤５へ打込むための打球発射機構１５、遊技中大当り状態になった時などに低音を発生させる低音スピーカ１６、及び打球供給皿６から球抜きした球又はファール球等を余剰球受皿９に誘導するための通路構成体１７がそれぞれ装着されている。さらに、内枠体４の開放側側部に、内枠体４及び前面装飾枠６を施錠するためのシリンダー錠１８が設けられており、他側側部には、上下一対の蝶番１９及び前面装飾枠６を着脱自在に取り付けるための取付部材２０が設けられている。一方、前記内枠体４の裏面には、遊技盤取付枠２１が固着されており、該遊技盤取付枠２１に開口窓１１を覆うように遊技盤５が取り付けられている。
【００１９】
前記遊技盤５は、ほぼ正方形状の合板からなるもので、図２乃至図３に示すようにその表面に外側レール２２と内側レール２３とが配設されて円形状の遊技領域２４が形成されている。すなわち、遊技盤５表面の下端左よりの位置から上端右よりの位置まで外側レール２２が円弧状に延設されていると共に、遊技盤５の上端右よりの位置から上端左よりの位置に向けて内側レール２３が円弧状に延設され、全体として円形状の遊技領域２４が形成されている。そして、該遊技盤５の遊技領域２４内には、例えば数字、図柄等の識別情報を変動表示する可変表示装置２５、パチンコ球が入賞することによって前記可変表示装置２５を電気的に作動させる始動入賞口２６、前記識別情報が特定の組合せ（例えば「７７７」）に揃い大当たり状態になったとき、一定の条件の下で一度に多くの入賞球を発生させる大型の入賞装置２７、風車２８、などが装着されている。一方、遊技盤５の遊技領域２４の外であり、右側下部隅角部には、パチンコ遊技機１が検査に合格したことを示す証紙を貼り付けるための証紙貼付部材２９が装着されている。
【００２０】
前記前面装飾枠６は、内枠体４の上半部分を全幅にわたって覆う大きさに形成された合成樹脂製の本体枠６ａと、該本体枠６ａの裏面側に装着される補強金属板６ｂとから概略構成されている。前記本体枠６ａには、その中央部に遊技盤５前面の遊技領域２４が視認可能な円形状の開口３０が形成されており、該開口３０の外周縁部を前側へ最も張り出させると共に、透光性の凹部と非透光性の凸部とを複雑に入り組ませてその外観が火山のようにデザイン化されている。また、図示はしないが、本体枠６ａの裏側であり、補強金属板６ｂとの間には、ＬＥＤとスピーカが配設されており、これが点灯するとあたかも火山が噴火して溶岩が流動するようなイメージを遊技者に想起させるようになっている。さらに、補強金属板６ｂには、その開放側側辺に、内枠体４に設けられたシリンダー錠１８が臨む貫通孔３１が貫設され、これと対応して、本体枠６ａにシリンダー錠１８前端の鍵穴部３２が臨む鍵挿通孔３３が開設されている。なお、前記開口３０を円形状としたのは、本体枠６ａによって遊技盤５の遊技領域２４を覆い隠してしまうことなく、本体枠６ａの装飾面積を可能な限り拡大させることを意図したためである。従って、該開口３０の内周は遊技領域２４を区画する外側レール２２と内側レール２３に略沿うような円形状になっている。
【００２１】
前記前面装飾枠６の補強金属板６ｂ後面には、本体枠６ａの開口３０の上辺部を除く左右側辺部及び下側辺部を囲うようにしてコ字形に形成された透明板取付部材３５が一体的に設けられている。すなわち、補強金属板６ｂの開口の左右側部にそれぞれ左溝枠３６と右溝枠３７、さらに下側部に下溝枠３８が設けられており、これら左溝枠３６、右溝枠３７、下溝枠３８には、内溝３９ａと外溝３９ｂとが形成されている。そして、内溝３９ａ、外溝３９ｂに２枚の矩形状のガラス板４０，４０を収容した透明板枠体５０が上方より挿入嵌合されて保持されている。
【００２２】
前記透明板枠体５０は、合成樹脂により額縁状に形成された枠体に２枚のガラス板を平行に配置したもので、図４乃至図５に示すように左右一対の縦枠５１ａ，５１ｂと上下一対の横枠５２ａ，５２ｂとから構成されている。また、透明板枠体５０の内側の各コーナー部には遊技盤５の非遊技領域を隠蔽する役割を果たす介在部材５３が着脱自在に取り付けられている。前記上下一対の左右の縦枠５１ａ，５１ｂは杆状に形成されており、その両端部分には結合突片５４，５４が設けられている。一方、上下一対の横枠５２ａ，５２ｂは両端部を互いに内側へ折曲したコ字型に形成されており、その折曲部分に縦枠５１ａ，５１ｂの結合突片５４，５４が嵌合される凹部５５，５５が形成されている。また、縦枠５１ａ，５１ｂ及び横枠５２ａ，５２ｂの内側には、２枚のガラス板４０，４０を嵌挿する挿入溝５６ａ，５６ｂが設けられ、縦枠５１ａ，５１ｂ及び横枠５２ａ，５２ｂの外側には、前記透明板取付部材３５の内溝３９ａと外溝３９ｂに挿入される突条５７ａ，５７ｂが設けられている。さらに、横枠５２ａ，５２ｂの折曲部分及び杆状部分の内側であり且つ挿入溝５６ａ，５６ｂ間に位置するように介在部材５３を取り付けるための係止片５８ａ，５８ｂが突出形成されている。前記介在部材５３は、透明板枠体５０のコーナー部の各々に配設されるもので、透明板枠体５０の挿入溝５６ａ，５６ｂ間の内法、すなわち、ガラス板４０，４０間の内法と略一致する幅厚に形成されており、透明板枠体５０に介在部材５３を装着するために設けられている基部６０と、４分の１円弧面からなる隠蔽部６１とから構成されている。なお、前記隠蔽部６１の円弧はいずれも、前面装飾枠６の開口３０の内周部及び遊技盤５の外側レール２２及び内側レール２３の円弧と略一致するようになっている。また、前記基部６０には、横枠５２ａ，５２ｂの係止片５８ａ，５８ｂに結合させるための孔６２ａ，６２ｂが穿設されている。
【００２３】
次に、透明板枠体５０の組立手順について説明する。まず、横枠５２ａの折曲部の端部に縦枠５１ａ，５１ｂの各々の端部を合わせた後、縦枠５１ａ，５１ｂの係合突片５４，５４を横枠５２ａ，５２ｂの凹部５５，５５に嵌め合わせて連結する。そして、介在部材５３の基部６０の孔６２ａ，６２ｂを横枠５２ａ，５２ｂの係止片５８ａ，５８ｂに嵌め込んで介在部材５３を装着しておく。このとき、縦枠５１ａ，５１ｂに連結されていない横枠５２ｂにも同様に介在部材５３を装着しておく。次いで、縦枠５１ａ，５１ｂと横枠５２ａとが連結されているものの挿入溝５６ａ，５６ｂに２枚のガラス板４０，４０を上方から嵌挿する。最後に、横枠５２ｂの折曲部の端部を縦枠５１ａ，５１ｂの端部に合わせ、縦枠５１ａ，５１ｂの係合突片５４，５４を横枠５２ｂの凹部５５，５５に嵌め合わせることで、図４に示すように透明板枠体５０に２枚のガラス板４０，４０及び介在部材５３が介挿された状態で額縁状に組み立てられる。
【００２４】
上記のように組み立てられた透明板枠体５０を前面装飾枠６の裏側に設けられた透明板取付部材３５に上方から挿入することで、図２に示すように２枚のガラス板が前面装飾枠６に装着された状態となる。このとき、２枚のガラス板４０，４０間に位置する介在部材５３の隠蔽部６１の円弧状部は、前面装飾枠６の開口３０内周部の形状に沿うようになっている。また、図６に示すように前面装飾枠６を閉止すると、遊技盤５に配設された外側レール２２と内側レール２３の円周の形状に沿うようになっている。このように本発明は、２枚のガラス板４０，４０間の内法と略一致する幅厚で形成され、しかも外側レール２２及び内側レール２３の円周形状に沿う隠蔽部６１を有する介在部材５３を、２枚のガラス板４０，４０間に配設したことから、次のような有益な効果を得ることができる。すなわち、円形状の開口が開設された前面装飾枠を備えたパチンコ遊技機に、例えば、矩形状のガラス板を装着しても、介在部材の隠蔽部によって、遊技盤の遊技領域以外の部分が塞がれることになるため、遊技者に対し、遊技領域外のなんらの装飾もなされていない部分を隠してしまうことができる。また、前面装飾枠の開口の形状にガラス板の形状が拘束されるようなこともなくなるため、従来のように、ガラス板を前面装飾枠の形状にあわせてカットするといった余分な手間を払う必要もなく、それに要する費用も不要となる。
【００２５】
なお、上記の実施例では、透明板枠体５０を縦枠５１ａ，５１ｂと横枠５２ａ，５２ｂによって構成した例を示したが、これに限定されるわけではなく、２枚の透明板を額縁状に介挿できるものであればよい。また、上記実施例では、透明板枠体５０に装着される介在部材５３を４分の１円弧面の隠蔽部６１からなるもので説明したが、例えば、半円弧面を有する隠蔽部からなるアーチ状のものとするなど種々の形態を選択することが可能である。さらに、上記実施例では、介在部材５３を透明板枠体５０と別体に成形し、透明板枠体５０に着脱自在に取り付けられるようにしているが、介在部材５３を透明板枠体５０に一体成形してもよい。また、上記実施例では、介在部材５３の隠蔽部６１が、外側レール２２及び内側レール２３によって形成される全周の形状に沿うようになっているが、前面装飾枠の開口内周部の形状に合わせて円周の一部のみ沿わせるようにしてもよい。例えば、前面装飾枠の開口が側方片側のみを円弧状としている場合には、この開口の形状に合わせて隠蔽部も側方片側のみを内外レールに沿わせるようにしてもよい。さらに、上記した実施例では、介在部材５３の隠蔽部６１が、外側レール２２及び内側レール２３によって形成される円周と、前面装飾枠６の開口３０内周部の双方に沿うように構成されているものについて説明したが、遊技盤５の非装飾部分を隠蔽する目的を果たし得るのであれば、介在部材の隠蔽部を外側レール及び内側レールによって形成される円周、あるいは前面装飾枠の開口の内周部のいずれか一方のみに沿うように構成してもよい。
【００２６】
図８は、上記実施例と異なる実施例を示したものである。なお、図８において、上記実施例と同じ構成要素については同一符合を付している。この実施例では、２枚のガラス板４０，４０を透明板枠体５０に介挿することなく、直接、透明板取付部材３５に装着している点、及び、透明板取付部材３５に装着された状態の２枚のガラス板４０，４０間に上方から直接、介在部材７０を挿入するようにしている点で第１実施例と相違している。この介在部材７０は、矩形状の縁部材７１内側の上半部に半円弧状の隠蔽部７２を一体的に設けて形成している。ここで、介在部材７０の上半部のみに円弧状の隠蔽部７２が設けられているのは、前面装飾枠６の開口部が上方のみを円弧状とした場合（図示省略）に対応したためである。もちろん、介在部材の７０の隠蔽部は、半円弧状としなければならないわけではなく、前面装飾枠の開口の形状に合わせて設ければよく、例えば、前面装飾枠の開口が円形状であれば、外側レール２２及び内側レール２３の全周の形状に沿うようにすればよい。また、縁部材の形状についても、種々の形態を採ることが可能であり、隠蔽部も縁部材に必ずしも一体成形する必要はなく、隠蔽部が縁部材に着脱自在に設けられていてもよい。
【００２７】
図９は、前面装飾枠６に開設された開口８０を多辺形状としたものの例を示している。このように、開口８０の形状を多辺形状とした場合においても、その開口８０が遊技盤５の遊技領域２４を最大限広く視認できるよう外側レール２２及び内側レール２３の全周の形状に略沿うようになっていれば、上記した例と同様の問題が生じることになる。例えば、矩形状のガラス板４０，４０をそのまま前面装飾枠６に装着すると、２枚のガラス板４０，４０の間から、何ら装飾もされていない遊技盤の遊技領域２４外の部分が遊技者に視認されてしまい、きわめて見栄えを悪くしてしまうことになる。そこで、図９に示したパチンコ遊技機１についても、２枚の透明板４０，４０間に隠蔽部６１を有する介在部材５３を設け、遊技者に遊技盤の遊技領域以外の部分を視認されないようにしたものである。
【００２８】
【発明の効果】
以上説明したように、本発明に係る弾球遊技機は、２枚の透明板間に隠蔽部を有する介在部材を設けることで、前面装飾枠の開口を円形状等にした弾球遊技機に、該開口の形状と異なる形状の透明板を装着しても、遊技者に遊技盤の遊技領域以外の部分を視認されないようにすることができる。また、そのことにより、現在一般に使用されている矩形状の透明板が円形状等の開口を有する前面装飾枠に装着することが可能となり、矩形状のガラス板に汎用性を持たせることも可能となる。
【図面の簡単な説明】
【図１】本発明の一実施例を示すパチンコ遊技機の正面図。
【図２】同前面装飾枠を開いた状態の斜視図。
【図３】同内枠体と前面装飾枠と前面板及び前面下部板を取り外した状態の分解斜視図。
【図４】本発明の一構成要素である透明板枠体にガラス板及び介在部材が装着された状態を示す斜視図である。
【図５】本発明の一構成要素である透明板枠体、ガラス板及び介在部材の分解斜視図である。
【図６】遊技領域と介在部材の関係を示す斜視図である。
【図７】介在部材が装着されていない状態を示す斜視図である。
【図８】他の実施例を示す斜視図である。
【図９】他の実施例を示す斜視図である。
【符号の説明】
１　　　　　　　　　　弾球遊技機
５　　　　　　　　　　遊技盤
６　　　　　　　　　　前面装飾枠
２２　　　　　　　　　外側レール
２３　　　　　　　　　内側レール
２４　　　　　　　　　遊技領域
３０　　　　　　　　　開口
３５　　　　　　　　　透明板取付部材
４０　　　　　　　　　透明板
５０　　　　　　　　　透明板枠体
５３　　　　　　　　　介在部材
６１　　　　　　　　　隠蔽部
【図１】
2004081604.tif 000003
【図２】
2004081604.tif 000004
【図３】
2004081604.tif 000005
【図４】
2004081604.tif 000006
【図５】
2004081604.tif 000007
【図６】
2004081604.tif 000008
【図７】
2004081604.tif 000009
【図８】
2004081604.tif 000010
【図９】
2004081604.tif 000011